(57)【要約】【課題】プルリング付き口栓において、プルリングを引っ張った際に支柱立設部に沿った環状薄肉脆弱線に裂けが容易に生じるようにし、開栓力を低下させて開封し易い口栓を提供する。【解決手段】除去板７を囲む環状薄肉脆弱線６の近傍位置にプルリング８を有する支柱９を立設した口栓１において、環状薄肉脆弱線６の脆弱板１３の支柱立設部１４に連続する部分に裂け始端形成部１７を設け、前記裂け始端形成部１７を下部とする厚肉凸部１５を、裂け始端形成部１７から支柱９に亘って一体に設けた。【選択図】図２
2014172653.tif 000002
【特許請求の範囲】
【請求項１】
注出筒の内側下方を閉鎖板を設けて封止し、閉鎖板の開口予定位置に縦断面を溝形状とした環状薄肉脆弱線を設けて、この閉鎖板中に前記環状薄肉脆弱線で囲まれてなる除去板を形成し、この除去板での前記環状薄肉脆弱線の近傍位置にプルリングを有する支柱が立設されているプルリング付き口栓において、
前記環状薄肉脆弱線は閉鎖板の上面側に形成されていて、前記除去板の外周面である溝内側面と注出筒の筒壁側の溝外側面との間に薄肉の脆弱板が位置してなるものであり、
前記除去板の支柱立設部に連続する脆弱板中に、該脆弱板の支柱立設部側の位置から筒壁側に向けて凸となる領域であって溝外側面位置には非到達とされた裂け始端形成部を有し、
前記裂け始端形成部を下部とする厚肉凸部が、裂け始端形成部から支柱立設部に亘って一体に設けられていることを特徴とするプルリング付き口栓。
【請求項２】
上記厚肉凸部は支柱に達するように口栓高さ方向上方に向けて延設されていて、支柱と上記脆弱板の裂け始端形成部とが厚肉凸部を介して連結されている請求項１に記載のプルリング付き口栓。
【請求項３】
注出筒の内側下方を閉鎖板を設けて封止し、閉鎖板の開口予定位置に縦断面を溝形状とした環状薄肉脆弱線を設けて、この閉鎖板中に前記環状薄肉脆弱線で囲まれてなる除去板を形成し、この除去板での前記環状薄肉脆弱線の近傍位置にプルリングを有する支柱が立設されているプルリング付き口栓において、
前記環状薄肉脆弱線は閉鎖板の下面側に形成されていて、前記除去板の外周面である溝内側面と注出筒の筒壁側の溝外側面との間に薄肉の脆弱板が位置してなるものであり、
前記除去板の支柱立設部に連続する脆弱板中に、該脆弱板の支柱立設部側の位置から筒壁側に向けて凸となる領域であって溝外側面位置には非到達とされた裂け始端形成部を有し、
前記裂け始端形成部を下部とする厚肉凸部が支柱に一体に設けられていて、支柱と上記除去板の裂け始端形成部とが前記厚肉凸部を介して連結されていることを特徴とするプルリング付き口栓。
【請求項４】
上記裂け始端形成部の環状薄肉脆弱線の長さ方向に沿った幅が、上記支柱の環状薄肉脆弱線の長さ方向に沿った幅より幅狭に設けられている請求項１から３の何れか一項に記載のプルリング付き口栓。
【請求項５】
閉鎖板の外周部であって上記裂け始端形成部に対応する部分のみに、閉鎖板厚さを厚肉にしてこの厚肉により撓み変形が抑止された補強部が設けられていて、前記補強部と脆弱板の裂け始端形成部とが近接配置され、この補強部と脆弱板の裂け始端形成部との間に、脆弱板のみとされた部分が位置している請求項１から４の何れか一項に記載のプルリング付き口栓。
【請求項６】
請求項１から５の何れか一項に記載のプルリング付き口栓が口栓取付部位に取り付けられていることを特徴とする容器。
【発明の詳細な説明】
【技術分野】
【０００１】
本発明は、液体用紙容器などの口栓取付部位に設けられるプルリング付き口栓、及び口栓取付部位にこのプルリング付き口栓が取り付けられている容器に関するものである。
【背景技術】
【０００２】
従来、飲料などの液体を収容する容器には容器上部を切妻屋根型にした液体用紙容器が多く使用されており、収容した液体の注出が行ない易くするために容器上部の傾斜板に合成樹脂製の口栓が取り付けられていて、これをキャップで覆うようにしている。このような液体用容器に取り付けられる口栓は、液体用容器の流通時にこの口栓の密封性を確保し、使用時には開封できるようにした仕組みが備えられている。
【０００３】
上記口栓の形状として一例を挙げれば、容器上部の板面（例えば上記傾斜板）の口栓取付孔から突出する注出筒とこの注出筒の下端外周に亘って設けられている取付用のフランジとが一体に形成されている。そして、前記注出筒の内側下方を閉鎖板を設けて封止していて、注出に際して密封を切る開口が前記閉鎖板に形成できるようにするために、閉鎖板の開口予定位置に閉鎖板の下面側にして縦断面形状が溝状の環状薄肉脆弱線を設け、この環状薄肉脆弱線に囲まれてなる除去板を閉鎖板中に形成している。また除去板の上面には環状薄肉脆弱線の近傍位置にして上部にブルリングを有する支柱を立設している。
【０００４】
口栓を液体用紙容器などの液体用容器に取り付けるには、注出筒を容器の口栓取付孔に通して位置させ、その口栓取付孔周りの板材とフランジとを重ね合わせた状態でその板材とフランジとを超音波溶着している。
【０００５】
液体用容器に取り付けられている口栓を開封するときには、注出筒の内側にあるブルリングを指先に掛けて上方に引っ張るようにしており、環状薄肉脆弱線の上記支柱が近接している部分に裂けを生じさせ、その裂けを始端として裂け目が環状薄肉脆弱線に沿って進んで上記除去板が取り除かれ、閉鎖板に開口が得られる。
【０００６】
上述したフランジを有するタイプの口栓だけでなくボトル型の容器の口部に嵌め付けるタイプも含めてプルリング付き口栓では、除去板の形状をほぼ円板状としたものが多く流通しているが、例えば特許文献１や特許文献２に示されているように除去板の平面形を略十字形状として一つの突端に支柱を立設するようにしたり、また除去板の大半の部分を円板状として支柱立設部分自体を注出筒の筒壁に向けて凸となる略山形状の平面形を有するものもある。
【０００７】
除去板の支柱立設部を注出筒の筒壁側に突出した形状にしていることから、除去板を取り外すときにその支柱立設部に沿った環状薄肉脆弱線に裂けが生じ易くなると考えられ、除去板の取り外しがし易くなる効果も期待されていた。即ち、除去板の平面形状がほぼ円形とされた口栓ではプルリングを引っ張り上げて除去板を取り外す際に比較的大きな開栓力が必要となっており、この開栓力を低減させることが望まれているのが現状である。
【０００８】
この支柱立設部が凸となっている従来の口栓の一例を図１０〜図１３に示した。この口栓ａではキャップｂが被せられ、また注出筒ｃの下端外周にフランジｄが一体に設けられている。断面で示すように注出筒ｃの内側下方を閉鎖板ｅを設けて封止し、閉鎖板ｅの開口予定位置に縦断面を溝形状とした環状薄肉脆弱線ｆを閉鎖板ｅの下面にして設けていて、閉鎖板ｅ中に環状薄肉脆弱線ｆで囲まれた除去板ｇを形成し、この除去板ｇにおいて環状薄肉脆弱線ｆの近傍位置にプルリングｈを有する支柱ｉが立設されている。
【０００９】
そして、支柱ｉが立つ支柱立設部ｊについては、その支柱立設部ｊの両側を注出筒中心側に向けてやや凹んだ形状とすることで、支柱立設部ｊの部分が筒壁側に向けて凸となるように設けられていた（底面図参照）。支柱立設部ｊの位置に沿う環状薄肉脆弱線ｆは底面図で示すようにその支柱立設部ｊとは反対側の弧形状より曲がりが強く小さな弧形状となっている。このように支柱立設部を筒壁側に向けて凸となる形状とすることで、プルリングを引っ張った際に引っ張り力が分散せずに支柱立設部に沿う環状薄肉脆弱線が切断されると期待されていた。
【先行技術文献】
【特許文献】
【００１０】
【特許文献１】実開昭４９−００２７５３号公報
【特許文献２】実開昭５７−０２６３２０号公報
【発明の概要】
【発明が解決しようとする課題】
【００１１】
しかしながら、支柱立設部自体が筒壁側に向けて凸となるようにしている口栓では、プルリングを引っ張った際の引っ張り力が支柱立設部周りに作用するものの、支柱立設部から環状薄肉脆弱線に亘る構造がその支柱立設部周りで一様であるために、その引っ張り力が支柱立設部周りの環状薄肉脆弱線やその環状薄肉脆弱線に沿った部分などに均一に分散して、逆に支柱立設部周り全体での変形量を増大させる作用が生じていた。
【００１２】
このことから環状薄肉脆弱線に裂けを簡単に生じさせる応力集中がなかなか生じず、除去板をほぼ円形とした従来からの口栓と比べても開栓力が良好に低減されたものではなかった。また、環状薄肉脆弱線で囲まれてなる除去板の形状を円板形状に対して大きく異形となる形状にすると、その除去板を取り除いた後に形成される開口の形状がいびつになり易く、収容物の注出に不具合を招く可能性もある。
【００１３】
そこで本発明は上記事情に鑑み、プルリング付き口栓において、プルリングを引っ張った際に支柱立設部に沿った環状薄肉脆弱線に裂けが容易に生じるようにすることを課題とし、開栓力を低下させて開封し易い口栓を提供することを目的とするものである。
【課題を解決するための手段】
【００１４】
（請求項１の発明）
本発明は上記課題を考慮してなされたもので、注出筒の内側下方を閉鎖板を設けて封止し、閉鎖板の開口予定位置に縦断面を溝形状とした環状薄肉脆弱線を設けて、この閉鎖板中に前記環状薄肉脆弱線で囲まれてなる除去板を形成し、この除去板での前記環状薄肉脆弱線の近傍位置にプルリングを有する支柱が立設されているプルリング付き口栓において、
前記環状薄肉脆弱線は閉鎖板の上面側に形成されていて、前記除去板の外周面である溝内側面と注出筒の筒壁側の溝外側面との間に薄肉の脆弱板が位置してなるものであり、
前記除去板の支柱立設部に連続する脆弱板中に、該脆弱板の支柱立設部側の位置から筒壁側に向けて凸となる領域であって溝外側面位置には非到達とされた裂け始端形成部を有し、
前記裂け始端形成部を下部とする厚肉凸部が、裂け始端形成部から支柱立設部に亘って一体に設けられていることを特徴とするプルリング付き口栓を提供して、上記課題を解消するものである。
【００１５】
（請求項２の発明）
そして、上記発明は、上記厚肉凸部は支柱に達するように口栓高さ方向上方に向けて延設されていて、支柱と上記脆弱板の裂け始端形成部とが厚肉凸部を介して連結されているものとすることが可能である。
【００１６】
（請求項３の発明）
また、もう一つの発明は、注出筒の内側下方を閉鎖板を設けて封止し、閉鎖板の開口予定位置に縦断面を溝形状とした環状薄肉脆弱線を設けて、この閉鎖板中に前記環状薄肉脆弱線で囲まれてなる除去板を形成し、この除去板での前記環状薄肉脆弱線の近傍位置にプルリングを有する支柱が立設されているプルリング付き口栓において、
前記環状薄肉脆弱線は閉鎖板の下面側に形成されていて、前記除去板の外周面である溝内側面と注出筒の筒壁側の溝外側面との間に薄肉の脆弱板が位置してなるものであり、
前記除去板の支柱立設部に連続する脆弱板中に、該脆弱板の支柱立設部側の位置から筒壁側に向けて凸となる領域であって溝外側面位置には非到達とされた裂け始端形成部を有し、
前記裂け始端形成部を下部とする厚肉凸部が支柱に一体に設けられていて、支柱と上記除去板の裂け始端形成部とが前記厚肉凸部を介して連結されていることを特徴とするプルリング付き口栓を提供して、上記課題を解消するものである。
【００１７】
（請求項４の発明）
そして、上記発明は、上記裂け始端形成領域の環状薄肉脆弱線の長さ方向に沿った幅が、上記支柱の環状薄肉脆弱線の長さ方向に沿った幅より幅狭に設けられていることが良好である。
【００１８】
（請求項５の発明）
また、上記発明は、閉鎖板の外周部であって上記裂け始端形成部に対応する部分のみに、閉鎖板厚さを厚肉にしてこの厚肉により撓み変形が抑止された補強部が設けられていて、前記補強部と脆弱板の裂け始端形成部とが近接配置され、この補強部と脆弱板の裂け始端形成部との間に、脆弱板のみとされた部分が位置していることが良好である。
【００１９】
（請求項６の発明）
さらにもう一つの発明は、上記プルリング付き口栓が口栓取付部位に取り付けられていることを特徴とする容器であり、この容器を提供して上記課題を解消するものである。
【発明の効果】
【００２０】
（請求項１の発明の効果）
請求項１の発明によれば、脆弱板中に凸型の領域とした裂け始端形成部があって、その裂け始端形成部が、支柱立設部の溝内側面に設けた厚肉凸部の下部として形成されており、即ち、前記厚肉凸部が脆弱板に対してはその脆弱板の一部分のみに一体となっており、プルリングを引っ張った際には厚肉凸部の下部である裂け始端形成部は引っ張りによる応力が集中する箇所となる。
【００２１】
そして、裂け始端形成部は応力の集中箇所となるのでこの裂け始端形成部、特に裂け始端形成部の突端位置（筒壁側）に裂けが簡単に生じるようになる。また支柱立設部の周りの環状薄肉脆弱線やこの環状薄肉脆弱線に沿った部分が引っ張りによって変形しかけても、引っ張りによる作用が、裂け始端形成部で生じた裂け始端からの裂け目を脆弱板に沿って進める作用として働くようになり、支柱立設部の周りの変形が大きくならずに環状薄肉脆弱線に沿って切断することが簡単で、開栓力を低減できるようになる。
【００２２】
（請求項２の発明の効果）
請求項２の発明によれば、厚肉凸部は支柱に達するように口栓高さ方向上方に向けて延設されていて、支柱と脆弱板の裂け始端形成部とが厚肉凸部を介して連結されているので、プルリングを引っ張ったときの引っ張り力が支柱から裂け始端形成部に直接的に伝わることとなり、プルリングを引っ張った際に裂け始端形成部でより一層簡単に裂けが生じるようになる。
【００２３】
（請求項３の発明の効果）
請求項３の発明によれば、脆弱板中に凸型の領域とした裂け始端形成部があって、その裂け始端形成部が厚肉凸部の下部として形成されており、即ち、前記厚肉凸部が脆弱板に対してはその脆弱板の一部分のみに一体となっており、さらに、厚肉凸部が支柱とも一体となっているので、プルリングを引っ張った際には厚肉凸部の下部である裂け始端形成部は引っ張りによる応力が集中する箇所となる。
【００２４】
そして、裂け始端形成部は応力の集中箇所となるのでこの裂け始端形成部、特に裂け始端形成部の突端位置（筒壁側）に裂けが簡単に生じるようになる。また支柱立設部の周りの環状薄肉脆弱線やこの環状薄肉脆弱線に沿った部分が引っ張りによって変形しかけても、引っ張りによる作用が、裂け始端形成部で生じた裂け始端からの裂け目を脆弱板に沿って進める作用として働くようになり、支柱立設部の周りの変形が大きくならずに環状薄肉脆弱線に沿って切断することが簡単で、開栓力を低減できる。
【００２５】
（請求項４の発明の効果）
請求項４の発明によれば、裂け始端形成部の環状薄肉脆弱線の長さ方向に沿った幅が、上記支柱の環状薄肉脆弱線の長さ方向に沿った幅より幅狭に設けられているので、プルリングを引っ張った際の裂け始端形成部に、引っ張りによる応力をより一層集中させることができるようになる。
【００２６】
（請求項５の発明の効果）
請求項５の発明によれば、閉鎖板の外周部であって上記裂け始端形成部に対応する部分のみに設けられている補強部が、上記脆弱板の裂け始端形成部と非接触にして近接配置され、この補強部と脆弱板の裂け始端形成部との間に、脆弱板のみとされた部分が位置していることを特徴としている。したがってプルリングを引っ張った際、前記補強部は変形し難く、引っ張りによる応力がより一層裂け始端形成部に集中し易く、裂けの発生が容易になる。
【００２７】
（請求項６の発明の効果）
請求項６の発明によれば、閉鎖板による密封を切る開栓力を小さくした上記発明の口栓が取り付けられているので開封が容易な容器となる。また閉鎖板中にある除去板を円形としても開栓力が高まることがないため、この除去板を円形にして開封後に円形の開口が形成されるようにすることで、口栓から収容液を注出し易い容器を提供できる。
【図面の簡単な説明】
【００２８】
【図１】本発明に係る口栓の第一の実施例を断面で示す説明図である。
【図２】第一の実施例の要部を拡大断面で示す説明図である。
【図３】第一の実施例の底面を示す説明図である。
【図４】第一の実施例における環状薄肉脆弱線と厚肉凸部と裂け始端形成部とを斜視の状態で示す説明図である。
【図５】第二の実施例を示す説明図である。
【図６】補強部の変形の例を示す説明図である。
【図７】第三の実施例を要部拡大断面で示す説明図である。
【図８】第四の実施例を要部拡大断面で示す説明図である。
【図９】本発明の容器の一例を示す説明図である。
【図１０】キャップで閉じられた口栓の従来例を示すものでその上面を示す説明図である。
【図１１】同じく従来例の側面を示す説明図である。
【図１２】同じく従来例の底面を示す説明図である。
【図１３】同じく従来例の断面を示す説明図である。
【発明を実施するための形態】
【００２９】
つぎに本発明を図１から図９に示す実施例に基づいて詳細に説明する。
（口栓の第一の実施例）
図中１はプルリング付き口栓で、該口栓１はキャップ２が被せられる注出筒３の下端外周にフランジ４が一体に設けられている。前記注出筒３の内側下方は閉鎖板５を設けて封止し、この閉鎖板５の開口予定位置に縦断面を略Ｖ字の溝形状とした環状薄肉脆弱線６を設けていて、閉鎖板５中に環状薄肉脆弱線６で囲まれてなる除去板７を形成し、この除去板７において環状薄肉脆弱線６の近傍位置に、プルリング８を有する支柱９が立設されている。
【００３０】
（環状薄肉脆弱線）
上記環状薄肉脆弱線６は閉鎖板５の上面側に形成されていて、除去板７の外周面である溝内側面１０と注出筒３の筒壁１１側の溝外側面１２との間に薄肉の脆弱板１３が位置してなるものである。この環状薄肉脆弱線６は口栓１を下方から見た状態で示すように注出筒３と同心の円形状であり、筒壁１１の近くを通る配置である。また環状薄肉脆弱線６が円形状であるため、除去板７の平面形状は円板となっている（図３）。
【００３１】
本発明の口栓１にあっては、開栓に際してプルリング８を引っ張り上げたときに支柱９に近い位置にある環状薄肉脆弱線６の脆弱板１３に裂けが生じ易くなるようにした工夫が施されている。この第一の実施例の口栓１において、上述したように支柱９は除去板７での環状薄肉脆弱線６の近傍位置に立設されていて、除去板７での支柱立設部１４の外側面は溝内側面１０の一部である（図２参照）。
【００３２】
（厚肉凸部）
そして、溝内側面１０での支柱直下に対応する部分であって、支柱９での筒壁最接近側の下方となる部分を筒壁１１側に向けて盛り上がった形状とすることで、その溝内側面１０に平断面形状を筒壁１１側に向けて凸となる厚肉凸部１５が一体に設けられている。さらに前記厚肉凸部１５は支柱９の基部に達するように口栓高さ方向上方に向けて延設され、その支柱９の基端における筒壁１１側の部分（支柱９での筒壁最接近側の部分）も筒壁１１側に向けて盛り上がった形状としている（図２、図４参照）。
【００３３】
即ち、支柱９の基端における筒壁１１側の部分と前記溝内側面１０での支柱直下に対応する部分とが共に筒壁１１側に向けて盛り上がった形状とされ、支柱９から溝内側面１０にかけて連続して平断面形状を筒壁１１側に向けて凸となる厚肉凸部１５を一体に設けている。
【００３４】
（裂け始端形成部）
さらに支柱立設部１４に連続する脆弱板１３中に、該脆弱板１３の支柱立設部側の位置から筒壁１１側に向けて凸となる領域にして、かつ突端１６が溝外側面位置には非到達にした裂け始端形成部１７が形成されている（図４）。そして、脆弱板１３中の前記裂け始端形成部１７は上記厚肉凸部１５の下部として成形されており、厚肉凸部１５は裂け始端形成部１７から支柱立設部１４と支柱９とに亘って一体に設けられている。
【００３５】
上記厚肉凸部１５は支柱９の基部に達するように口栓高さ方向上方に向けて延設されているので、この厚肉凸部１５を介して支柱９と脆弱板１３中の裂け始端形成部１７とが連結されている構成を有する形態となっている。また支柱９の基端と裂け始端形成部１７とに亘る厚肉凸部１５は、溝内側面１０の部分において口栓高さ方向での下方に下がるに従って環状薄肉脆弱線６の長さ方向に沿った幅が徐々に幅狭になるように成形されていて、厚肉凸部１５の下部である脆弱板１３中の裂け始端形成部１７は、環状薄肉脆弱線６の長さ方向に沿った幅が、支柱９の基端の環状薄肉脆弱線の長さ方向に沿った幅より幅狭に設けられている。
【００３６】
上述したように厚肉凸部１５が脆弱板１３に対してはその脆弱板１３の一部分のみである裂け始端形成部１７に一体となっており、プルリング８を引っ張った際には厚肉凸部１５の下部である裂け始端形成部１７は引っ張りによる応力が集中する箇所となり、特に突端１６で脆弱板１３に裂けが生じるようになる。また、厚肉凸部１５を介して支柱９と裂け始端形成部１７とを連結した構成としているので、プルリング８を引っ張ったときの引っ張り力が支柱９から裂け始端形成部１７に直接的に伝わることとなり、プルリング８を引っ張った際に裂け始端形成部１７でより一層簡単に裂けが生じるようになる。
【００３７】
さらに、裂け始端形成部１７の環状薄肉脆弱線６の長さ方向に沿った幅を、支柱９の環状薄肉脆弱線６の長さ方向に沿った幅より幅狭に設けられているので、これによっても引っ張りによる応力が裂け始端形成部１７に集中するようになり、より一層脆弱板１３で裂けを生じさせ易くする上で効果がある。この第一の実施例における厚肉凸部１５の環状薄肉脆弱線６の長さ方向に沿った幅は、裂け始端形成部１７の位置から除去板７の上面の高さ位置にかけて漸次幅広にされていて、その裂け始端形成部１７の位置から除去板７の上面の高さ位置にかけて厚肉凸部１５の盛り上がり方向と相対する方向から見た形状がテーパー形状としている。なお、除去板７の上面の高さ位置での幅は支柱９の基部の幅より狭くなるようにしている。
【００３８】
（第二の実施例）
（補強部）
図５は第二の実施例を示していて、図中の符号１８は上記第一の実施例における閉鎖板５の環状薄肉脆弱線６の筒壁１１側となる外周部１９の一部分に設けられた補強部を示している。即ち、この第二の実施例は、裂け始端形成部１７に相対する位置のみを補強部１８としている例である。前記補強部１８は、裂け始端形成部１７に相対する部分がプルリング８の引っ張り方向に撓むように変形することを抑えるために、その裂け始端形成部１７に相対する部分の剛性を高める補強を行なうもので、本口栓１においてプルリング８を引っ張って開封する際に上記裂け始端形成部１７に裂けがより生じ易くなるようにしているものである。
【００３９】
図示されているように補強部１８は、環状薄肉脆弱線６の溝外側面１２から筒壁１１に亘る閉鎖板５の外周部１９の上面であって、裂け始端形成部１７に閉鎖板５の径方向に対応する部分のみに位置していて、閉鎖板５が厚さ方向上方に凸となるように閉鎖板５の厚さを厚肉して設けている。さらにこの補強部１８の環状薄肉脆弱線６にかかる部分は脆弱板１３にも連続しており、脆弱板１３中で裂け始端形成部１７と非連続にして相対してその裂け始端形成部１７に向けて凸状の剛性強化部２０が、補強部１８の環状薄肉脆弱線６中の下部として一体に形成されている。
【００４０】
第二の実施例の口栓１では上記補強部１８と裂け始端形成部１７とが非接触で近接配置されており、特にこの例では、閉鎖板５の上面側が開く溝形状にして形成された環状薄肉脆弱線６の脆弱板１３中で、補強部１８の上記剛性強化部２０と前記裂け始端形成部１７とが、非接触で近接配置の位置関係となるように形成されており、この剛性強化部２０と裂け始端形成部１７との間に、脆弱板１３のみとした部分が位置している。
【００４１】
口栓１はこのように補強部１８を設けたものであっても、裂け始端形成部１７の突端１６側には脆弱板１３があるため、プルリング８を引っ張ることで裂け始端形成部１７と構成強化部２０との間で、特にその突端１６側で裂けが生じ易くなる。さらに前記補強部１８を設けてなる強度を高めて撓み難くした部分が脆弱板１３の一部分を介在させて裂け始端形成部１７と相対しているので、プルリング８の引っ張り時により一層前記裂けが生じ易くなっているものである。
【００４２】
（補強部の変形例）
図６は上記補強部１８の構成を変更した例を示している。上記第二の実施例の補強部１８では、この補強部１８としている閉鎖板５の厚さ（外周部位置および溝外側面位置での厚さ）が厚肉となるように上面側に凸部分１８ａを一体に形成しているが、厚肉凸部１５や裂け始端形成部１７に対向する部分の剛性が強化されればよいものである。
【００４３】
変形例での補強部１８は、図６に示されているように第二の実施例の場合とは上下反対側となるように、環状薄肉脆弱線６の溝外側面１２から筒壁１１に亘る閉鎖板５の外周部１９の下面で、かつ裂け始端形成部１７に閉鎖板５の径方向に対応する部分のみに、閉鎖板５が厚さ方向下方に突出する凸部分１８ａを一体に形成して、これによって閉鎖板５の厚さを厚肉して剛性を強化した補強部１８が設けられるようにしている。
【００４４】
上述したように本口栓１では、上記補強部１８を、上方に突出した凸部分１８ａを設けることによってその凸部分１８ａのある閉鎖板５の厚さを厚肉にされたものとしたり、下方に突出した凸部分１８ａを設けることによってその凸部分１８ａのある閉鎖板５の厚さを厚肉にされたものとしている。上方に突出の凸部分１８ａにて厚肉にしてなる補強部１８では溝外側面１２に位置する部分で剛性強化部２０を下部として一体にし、下方に突出の凸部分１８ａにて厚肉にしてなる補強部１８では図示されているようにその凸部分１８ａが脆弱板１３側に延設されて剛性強化部２０を側端部として一体にしているが、いずれの場合の補強部１８でも、凸部分１８ａが脆弱板１３の一部分と一体となるように延設されている必要はない。なお、口栓１において補強部自体は必ずしも必要とされるものではない。
【００４５】
（口栓の第三の実施例）
（厚肉凸部）
図７は第三の実施例を示している。第三の実施例における口栓１は厚肉凸部１５の口栓高さ方向での形成範囲が第一の実施例と相違している。図示されているように、この厚肉凸部１５も、溝内側面１０での支柱直下に対応する部分で、支柱９での筒壁最接近側の下方となる部分を筒壁１１側に向けて盛り上がった形状とすることで、その溝内側面１０に平断面形状を筒壁１１側に向けて凸となるように一体に設けられているものである。そして、この厚肉凸部１５は支柱９の基部には連続しておらず、上位置が溝内側面１０の上端縁までにして形成されているものである。
【００４６】
この第三の実施例でも、上記厚肉凸部１５が脆弱板１３に対しては厚肉凸部の下部として裂け始端形成部１７に一体となっており、プルリング８を引っ張った際には厚肉凸部１５の下部である裂け始端形成部１７は引っ張りによる応力が集中する箇所となり、特に突端１６で脆弱板１３に裂けが生じるようになる。この裂けが始端となって裂け目が環状薄肉脆弱線６を進んで除去板７を外すことで、閉鎖板５に開口が得られる。
【００４７】
（補強部）
さらに第三の実施例においても、第二の実施例と同様に、上方に突出した凸部分１８ａを設けることによってその凸部分１８ａのある閉鎖板５の厚さを厚肉にされた補強部１８を形成したり、下方に突出した凸部分１８ａを設けることによってその凸部分１８ａのある閉鎖板５の厚さを厚肉にされた補強部１８を形成することも可能である。
【００４８】
（口栓の第四の実施例）
（環状薄肉脆弱線）
図８は第四の実施例を示している。上記実施例では環状薄肉脆弱線６が閉鎖板５の上面側に形成されて、縦断面形状が上方に開く略Ｖ字状としているが、本口栓１ではこの環状薄肉脆弱線６が閉鎖板５の下面側に形成して縦断面形状を下方が開く略Ｖ字状としてもよく、その例をこの第四の実施例として示している。第四の実施例の環状薄肉脆弱線６は閉鎖板５の下面側に形成されている点で上記実施例と相違していて、除去板７の外周面である溝内側面１０と注出筒３の筒壁１１側の溝外側面１２との間に位置する脆弱板１３の上面と除去板７の上面とは面一となっている。
【００４９】
プルリング８を有する支柱９は環状薄肉脆弱線６の近傍位置にあり、上記実施例の場合に比べて脆弱板１３により一層近付いた位置に支柱９が立設されている。そして、上記実施例と同じように支柱立設部１４に連続する脆弱板７中に裂け始端形成部１７を有し、この裂け始端形成部１７が支柱９の基端に隣接している。
【００５０】
（厚肉凸部）
さらに上記支柱９の基端を含む部分は、筒壁最接近側となる部分において筒壁１１側に向けて盛り上がった形状にしており、平断面形状を筒壁１１側に向けて凸となる厚肉凸部１５がこの支柱９の基端を含む部分に一体に設けられている。そして、この第四の実施例における前記厚肉凸部１５は、支柱９の基端が隣接する脆弱板１３中の上記裂け始端形成部１７を下部として脆弱板１３に一体に連続しており、これによって第四の実施例では支柱９と裂け始端形成部１７とが前記厚肉凸部１５を介して連結されている。
【００５１】
第四の実施例においても、厚肉凸部１５が脆弱板１３に対してはその脆弱板１３の一部分のみである裂け始端形成部１７に一体となっている。そのため、上記実施例と同じようにプルリング８を引っ張った際には厚肉凸部１５の下部である裂け始端形成部１７は引っ張りによる応力が集中する箇所となり、突端１６で脆弱板１３に裂けが生じるようになる。さらに、厚肉凸部１５を介して支柱９と裂け始端形成部１７とを連結した構成としているので、プルリング８を引っ張ったときの引っ張り力が支柱９から裂け始端形成部１７に直接的に伝わって、プルリング８を引っ張った際に裂け始端形成部１７でより一層簡単に裂けが生じるものとなる。
【００５２】
（補強部）
第四の実施例でも、上記実施例と同様に、上方に突出した凸部分１８ａを設けることによってその凸部分１８ａのある閉鎖板５の厚さを厚肉にされた補強部１８を形成したり、下方に突出した凸部分１８ａを設けることによってその凸部分１８ａのある閉鎖板５の厚さを厚肉にされた補強部１８を形成することも可能である。
【００５３】
この第四の実施例によれば、上記厚肉凸部１５が脆弱板１３に対しては厚肉凸部の下部として裂け始端形成部１７に一体となっており、プルリング８を引っ張った際には厚肉凸部１５の下部である裂け始端形成部１７は引っ張りによる応力が集中する箇所となり、特に突端１６で脆弱板１３に裂けが生じるようになる。この裂けが始端となって裂け目が環状薄肉脆弱線６を進んで除去板７を外すことで、閉鎖板５に開口が得られる。
【００５４】
（容器）
図９は上記実施例による口栓１が取り付けられている液体用紙容器２１を示している。この液体用紙容器２１は容器上部を切妻屋根状としたゲーベルトップタイプの容器で、一面の傾斜天板に開口された口栓取付孔（口栓取付部位）から注出筒３が外部に突出するようにして配されていて、口栓取付孔周りの板材内面と口栓１のフランジとを融着することでブルリング付き口栓１を取り付けた容器としているものであり、注出筒３にはキャップが被せ付けられている。上述したように口栓１の開封に際し、プルリングを引っ張ったときの応力が集中する裂け始端形成部によって、支柱立設部やその周辺で撓みや伸長などの大きな変形を招かずに容易に裂けが生じて開栓力が小さくなり、これによって開封操作がすこぶる簡単な容器となるものである。なお、口栓１を取り付けた容器はこの液体用紙容器に限定されるものではない。
【００５５】
（口栓の変例）
口栓１について上述した実施例ではそれぞれフランジを一体に有するものであって、別成形のキャップをネジ付けできるように注出筒の外周には外ネジを有するものとしている。しかしながら、本発明での口栓は上記実施例に示したものに限定されるものではなく、注出筒にセルフヒンジを介してキャップが連結されている口栓や、ボトル型の容器の口栓取付孔に嵌め付けることができるようにその嵌合部位を注出筒が備える形態の口栓であってもよく、容器も嵌合タイプの口栓が取り付けられたものとすることも可能である。
【符号の説明】
【００５６】
１…口栓
３…注出筒
５…閉鎖板
６…環状薄肉脆弱線
７…除去板
８…プルリング
９…支柱
１０…溝内側面
１２…溝外側面
１３…脆弱板
１４…支柱立設部
１５…厚肉凸部
１６…突端
１７…裂け始端形成部
１８…補強部
１８ａ…補強部の凸部分
１９…閉鎖板５の外周部
２０…剛性強化部
２１…液体用紙容器
【図１】
2014172653.tif 000003
【図２】
2014172653.tif 000004
【図３】
2014172653.tif 000005
【図４】
2014172653.tif 000006
【図５】
2014172653.tif 000007
【図６】
2014172653.tif 000008
【図７】
2014172653.tif 000009
【図８】
2014172653.tif 000010
【図９】
2014172653.tif 000011
【図１０】
2014172653.tif 000012
【図１１】
2014172653.tif 000013
【図１２】
2014172653.tif 000014
【図１３】
2014172653.tif 000015